(57)【要約】【課題】遅延噴射機構を操作してから噴射段階に移行するまでの遅延動作をスムーズにし、各構成部品の形状を簡単化してコストダウンを図る。【解決手段】作動モードで上動し、内容物通過用孔部１１ｄを開く弁部材１５に空気排出用孔部１５ｄを形成し、カバー体１０に外部空間連通口１０ｅを形成して上側空間部１５ｂや下側空間部１５ｂを外部空間２３に連通させた。操作部材１１を回動するとステム２０が押圧され、内容物の圧力で弁部材１５が押し上げられる。上側空間部１５ｂの容積が小さくなった分の空気は、孔部１５ｄ−下側空間部１５ｃ−外部空間連通口１０ｅや隙間２１ａを通る層流状態で外部空間２３に円滑に排出されるので、弁部材１５はスムーズに上動する。下側空間部１５ｃを閉空間にする必要がないので各部品の形状はシンプルである。また、上側空間部の容積変化分の空気を、操作部材に形成した溝部から外部空間に排出させる遅延噴射機構も開示している。【選択図】　　図２
2004041979.tif 000002
【特許請求の範囲】
【請求項１】
噴射操作時から遅延して容器の内容物が外部空間に噴射される遅延噴射機構において、
遅延噴射用の出力部を形成し、前記噴射操作により移動して容器の作動モードを設定する噴射出力部材と、
前記出力部に対する弁機能を持ち、前記内容物の圧力により移動して当該出力部をそれまでの非動作状態から動作状態にシフトさせる弁部材と、
前記弁部材の前記移動にともなって容積が小さくなる空間域と、
前記弁部材の前記移動の際に、前記空間域の遅延動作用の気体を前記容積の変化に応じて外部空間に排出するための気体排出部とを備えた、
ことを特徴とする遅延噴射機構。
【請求項２】
前記気体排出部として、
前記弁部材に形成した排気用孔部と、前記弁部材および容器カバー体で構成されて当該排気用孔部に続く外部空間連通域とを用いる、
ことを特徴とする請求項１記載の遅延噴射機構。
【請求項３】
前記排気用孔部に通じる部分に、前記気体の排出動作に対する抵抗部材を設けた、
ことを特徴とする請求項２記載の遅延噴射機構。
【請求項４】
前記気体排出部として、
前記出力部としての内容物通過用孔部を形成した鞘状部からなる前記噴射出力部材と、当該鞘状部の外周面と当接して前記空間域を構成する容器カバー体との、この当接対象部分の少なくとも一方に形成した溝状部を用いる、
ことを特徴とする請求項１記載の遅延噴射機構。
【請求項５】
請求項１乃至４記載の遅延噴射機構を備え、かつ、放出用ガスおよび内容物を収容したエアゾール式製品。
【発明の詳細な説明】
【０００１】
【発明の属する技術分野】
本発明は、遅延噴射機構に関し、特に、噴射操作をしてから内容物が噴射されるまでの遅延動作がスムーズに行われるようにし、また、各構成部品の形状を簡単化してコストダウンを図った遅延噴射機構に関する。
【０００２】
【従来の技術】
図５は従来の遅延噴射機構を備えたエアゾール容器の噴射過程を示す説明図である。
【０００３】
図５において、３は遅延噴射機構、３０はカバー体、３０ａはカバー体の段部、３１は噴射操作用の押釦、３１ａは内容物噴射用通路、３２は噴射口、３３は内容物の圧力を受けて上動するピストン、３３ａは当該ピストンの壁部、３３ｂは当該ピストンに予め形成されている内容物噴射用の孔部、３３ｃは当該ピストンとシリンダ３４との間の内容物噴射用の隙間、３３ｄは当該ピストンの環状の外底面部分、３４はピストン３３とともに下動してステムを押圧するシリンダ、３４ａは当該シリンダとピストン３３に囲まれて閉状態の下側空間部、３４ｂはカバー体３０の段部３０ａに係止する爪部、３４ｃは当該シリンダの環状の内底面部分、３５はシリンダ３４との間で密閉空間を形成するシリンダカバー、３５ａは当該シリンダカバーとピストン３３に囲まれて閉状態の上側空間部、３６は上側空間部３５ａの空気を下側空間部３４ａに吸引する際の圧力調整部材、３６ａは細孔、３７は内容物一時貯留部、３８はステム、３９はマウンテンキャップ、４０は容器、４１は外部空間をそれぞれ示している。
【０００４】
図５に示すように、遅延噴射機構３は、
・シリンダ３４とシリンダカバー３５によって密閉された空間を形成し、
・ピストン３３とシリンダ３４との間に、外部空間に連通しない下側空間部３４ａを形成し、
・ピストン３３とシリンダカバー３５との間に、外部空間に連通しない上側空間部３５ａを形成する、
構成となっているため各部材は複雑な形状であり、また互いに入り組んだ構造となっている。
【０００５】
静止モード　（図示省略：ピストン３３の外底面部分３３ｄとシリンダ３４の内底面部分３４ｃとが当接した状態）で押釦３１を押すと、ピストン３３，圧力調整部材３６，シリンダ３４，シリンダカバー３５が一体となって下動してシリンダ３４の爪部３４ｂがカバー体３０の段部３０ａに係止し、ステム３８が押圧される。
【０００６】
この押圧動作によりステム３８の弁　（図示省略）が開き、容器４０の内容物はステム３８を通過して内容物一時貯留部３７に流入してピストン３３の壁部３３ａを押し上げる。このとき、当該ピストンに嵌合した圧力調整部材３６および押釦３１も上動する。
【０００７】
ピストン３３の上動により、下側空間部３４ａは減圧された状態となるので、上側空間部３５ａの空気が圧力調整部材３６の細孔３６ａから吸引されて下側空間部３４ａに移動する。
【０００８】
下側空間部３４ａは閉空間域となっているので、吸引された空気はシリンダ３４にぶつかって乱流状態となる。
【０００９】
ピストン３３が図示の位置よりさらに上昇して、当該ピストンとシリンダ３４との間に隙間３３ｃが形成されると、内容物は当該隙間−孔部３３ｂ−内容物噴射用通路３１ａを経由して噴射口３２から外部空間４１に噴射される。
【００１０】
内容物の噴射開始時点は、押釦３１を押してから隙間３３ｃが形成されるまでの時間だけ遅延される。
【００１１】
【発明が解決しようとする課題】
このように、従来の遅延噴射機構におけるピストンの上動に際して、当該ピストンの上側空間部の空気は下側空間部へ吸引されている。
【００１２】
上述のようにこの吸引された空気には逃げ場がなく下側空間部で乱流状態となる。そして、その一部は上側空間部の方向にも向かうので、上側空間部からの空気の吸引作用の抵抗となり、その結果ピストンの動作ががたつき、最悪の場合には内容物噴射開始位置に至るまでにピストンが止まってしまいかねないという問題点があった。
【００１３】
また、上側空間部および下側空間部に分割される閉空間域を形成するためのピストンやシリンダの形状は複雑で互いに入り込むような構造となっており、部品の製作や組立作業に時間がかかり、その結果、遅延噴射機構全体のコストが高くなるという問題点があった。
【００１４】
そこで、本発明では、利用者の噴射操作に基づいて噴射開始位置へと移動し始める弁部材の移動量に応じて容積が小さくなる空間域の遅延動作用気体を外部空間に排出することにより、弁部材をスムーズに動作させることを目的とする。
【００１５】
また、遅延噴射機構の各部材の形状や内部構造を簡単化し、部品の製作や組立作業の手間を省くことを目的とする。
【００１６】
【課題を解決するための手段】
本発明ではこの課題を次のように解決する。
（１）噴射操作時から遅延して容器（例えば後述の容器２２）の内容物が外部空間に噴射される遅延噴射機構（例えば後述の遅延噴射機構１，２）において、遅延噴射用の出力部（例えば後述の孔部１１ｄ，１２ｅ）を形成し、前記噴射操作により移動して容器の作動モードを設定する噴射出力部材（例えば後述の操作部材１１，１２）と、前記出力部に対する弁機能を持ち、前記内容物の圧力により移動して当該出力部をそれまでの非動作状態から動作状態にシフトさせる弁部材（例えば後述の弁部材１５，１７、弁作用部１８）と、前記弁部材の前記移動にともなって容積が小さくなる空間域（例えば後述の上側空間部１５ｂ，１７ｂ）と、前記弁部材の前記移動の際に、前記空間域の遅延動作用の気体を前記容積の変化に応じて外部空間に排出するための気体排出部（例えば後述の空気排出用孔部１５ｄ，下側空間部１５ｃ，１７ｃ，外部空間連通口１０ｅ，溝部１２ｄ）とを備える。
（２）上記（１）において、前記気体排出部として、前記弁部材に形成した排気用孔部（例えば後述の空気排出用の孔部１５ｄ）と、前記弁部材および容器カバー体（例えば後述のカバー体１０）で構成されて当該排気用孔部に続く外部空間連通域（例えば後述の下側空間部１５ｃ）とを用いる。
（３）上記（２）において、前記排気用孔部に通じる部分に、前記気体の排出動作に対する抵抗部材　（例えば後述のフェルト１６）を設ける。
（４）上記（１）において、前記気体排出部として、前記出力部としての内容物通過用孔部（例えば後述の孔部１２ｅ）を形成した鞘状部（例えば後述の柱状部１２ｃ）からなる前記噴射出力部材と、当該鞘状部の外周面と当接して前記空間域（例えば後述の上側空間部１７ｂ）を構成する容器カバー体（例えば後述のカバー体１０）との、この当接対象部分の少なくとも一方に形成した溝状部（例えば後述の溝部１２ｄ）を用いる。
【００１７】
本発明によれば、上記（１）のように、噴射操作に基づく弁部材の移動にともなって容積が小さくなる空間域の遅延動作用の気体をいわば層流状態にして外部空間に排出し、これにより弁部材を内容物の噴射位置へとスムーズに移動させ、かつ当該気体の収納用閉空間部の省略化を図っている。
【００１８】
また、上記（２）のように、弁部材に形成した排気用孔部およびこれに続く外部空間連通域を遅延動作用気体の排出部とし、これにより遅延動作時の弁部材の移動にともなっていわば余分となった内部気体を外部空間に効率的に排出している。
【００１９】
また、上記（３）のように、排気用孔部に通じる部分に遅延動作用気体の排出に対する抵抗部材を設け、これにより遅延時間の拡大化を図り、さらには各種の抵抗部材に応じて遅延時間を選択的に設定できるようにしている。
【００２０】
また、上記（４）のように、噴射出力部材（鞘状部）と容器カバー体との当接対象部分（＝弁部材とは別の部分）に形成した溝状部を遅延動作用気体の排出部として用い、すなわち可動部材である弁部材に排気用孔部を形成してそのバランスがくずれるようなことを確実に回避し、これにより遅延動作時の弁部材の移動を一段と円滑なものにしている。
【００２１】
本発明は、以上の特徴を持つ遅延噴射機構を対象とするとともに、この遅延噴射機構を備えたエアゾール式製品も対象にしている。
【００２２】
【発明の実施の形態】
本発明の実施の形態を図１乃至図４を用いて説明する。
図１は、弁部材１５に空気排出用孔部を形成した遅延噴射機構の静止モード，
図２は、図１の遅延噴射機構の作動モード初期段階　（孔部１１ｄ：閉状態），
図３は、図２に続く噴射段階（孔部１１ｄ：開状態），
図４は、ステム押圧用の柱状部１２ｃに空気排出用溝部を形成した遅延噴射機構の作動モード初期段階　（孔部１２ｅ：閉状態），
をそれぞれ示している。
【００２３】
これらの図において、
１は遅延噴射機構（その１），
２は遅延噴射機構（その２），
１０はカバー体，１０ａは静止モードで後述の操作部材１１，１２の突状部１１ｂ，１２ｂを係止する上側凹状部，１０ｂは作動モードで後述の操作部材１１，１２の突状部１１ｂを係止する下側凹状部，１０ｃは突状部１１ｂ，１２ｂを上側凹状部１０ａから下側凹状部１０ｂへ案内するレール部，１０ｄは操作部材１１に当接する小径部，１０ｅは外部空間連通口，１０ｆはカバー体１０内周面に形成した凹部，
１１は噴射操作用の操作部材，１１ａは回動操作部，１１ｂは突状部，１１ｃはステム押圧用の柱状部，１１ｄは内容物通過用の孔部，１１ｅは内容物噴射用の通路，
１２は空気排出用の溝部１２ｄを形成した操作部材，１２ａは回動操作部，１２ｂは突状部，１２ｃはステム押圧用の柱状部，１２ｄは空気排出用のローレット加工状の溝部，１２ｅは内容物通過用の孔部，１２ｆは内容物噴射用の通路，１２ｇはカバー体１０と操作部材１２との隙間，
１３は内容物の噴射口，
１４は後述の内容物一時貯留部１９を形成する筒状の中間通路用部材，１４ａは内容物通過用の通路，１４ｂは溝部，１４ｃはステム２０に対する誤動作防止用の隙間，
１５は空気排出口１５ｄを形成した弁部材，１５ａは縁部，１５ｂは当該弁部材とカバー体１０によって囲まれた上側空間部，１５ｃは当該弁部材，中間通路用部材１４およびカバー体１０に囲まれて外部空間に連通する下側空間部，１５ｄは当該上側空間部の遅延動作用空気を排出する孔部，
１６は空気排出調整用のフェルト，
１７は空気排出口を形成していない弁部材，１７ａは縁部，１７ｂは外部空間に連通する上側空間部，１７ｃは下側空間部，
１８は弁部材１５，１７に嵌合し、操作部材１１，１２の柱状部１１ｃ，１２ｃに密接する弁作用部，
１９は中間通路用部材１４および弁部材１５などによって特定される内容物一時貯留部，
２０はステム，
２１はマウンテンキャップ，２１ａはマウンテンキャップ２１とカバー体１０との隙間，
２２は容器，
２３は外部空間，
をそれぞれ示している。
【００２４】
遅延噴射機構１は、
・マウンテンキャップ２１ａに固定されたカバー体１０，
・回動操作により下動する操作部材１１，
・操作部材１１の下動によってステム２０を押圧する中間通路用部材１４，
・内容物の圧力によって上動する弁部材１５，
・弁部材１５に連動して操作部材１１の孔部１１ｄを開状態に設定する弁作用部１８，
などから構成されている。
【００２５】
遅延噴射機構１のカバー体１０の内部は、
・弁部材１５および中間通路用部材１４などによって囲まれた内容物一時貯留部１９，
・弁部材１５の孔部１５ｄ，下側空間部１５ｃおよびカバー体１０の外部空間連通口１０ｅなどを介して、外部空間２３に連通する上側空間部１５ｂ、
・カバー体１０の外部空間連通口１０ｅや、カバー体１０とマウンテンキャップ２１との隙間２１ａを介して、外部空間２３に連通する下側空間部１５ｃ、
に大別される。
【００２６】
図１の静止モードでは、操作部材１１の突状部１１ｂがカバー体１０の上側凹状部１０ａに係止されている。
【００２７】
このとき、
・柱状部１１ｃの下端面が中間通路用部材１４の底面部分（＝溝部１４ｂの上端部分）に当接し、
・弁作用部１８が柱状部１１ｃの孔部１１ｄを閉塞し、
・中間通路用部材１４とステム２０との隙間１４ｃが形成されている。
【００２８】
なお、中間通路用部材１４とステム２０の隙間１４ｃは、搬送中の何らかの衝撃や、操作部材１１に対する誤操作によって柱状部１１ｃがいくらか下動した場合に、ステム２０が押圧されて作動モードに移行することを防止するためのものである。
【００２９】
図２の作動モードにする、すなわち図１の状態の回動操作部１１ａを図示の時計方向に回すと、
・カバー体１０の上側凹状部１０ａに係止していた操作部材１１の突状部１１ｂはレール部１０ｃに案内されながら移動して下側凹状部１０ｂに係止し、
・柱状部１１ｃも、突状部１１ｂが下方向に移動した分だけ下動し、中間通路用部材１４を押し下げ、
・この押下げ分だけステム２０が押圧される。
【００３０】
このとき柱状部１１ｃに連動するかたちで弁作用部１８および弁部材１５も下動する。
【００３１】
ステム２０が押圧されたことにより、内容物は容器２２からステム２０，通路１４ａ，溝部１４ｂを通って、内容物一時貯留部１９に流入する。
【００３２】
そして、
・内容物一時貯留部１９の内部圧力が高まり、
・その圧力によって弁部材１５および弁作用部１８は、実線矢印で示すように上動し始め、
・上側空間部１５ｂの空気は、弁部材１５の上動に対応した分だけ破線矢印で示すようにフェルト１６−空気排出用孔部１５ｄ−下側空間部１５ｃを通過して、外部空間連通口１０ｅやマウンテンキャップ２１とカバー体１０との隙間２１ａから外部空間２３に排出される。
【００３３】
このように、弁部材１５の上動に応じて容積が小さくなる上側空間部１５ｂの余分な空気は層流状態となって外部空間２３に円滑に排出されることになり、弁部材１５や弁作用部１８の上動動作もスムーズである。
【００３４】
図３に示すように、噴射状態では、弁部材１５がさらに上動して操作部材１１の孔部１１ｄが弁作用部１８の下側に位置する、すなわち開状態となるので、内容物は当該孔部および噴射用通路１１ｅを通過して噴射口１３から外部空間２３に噴射される。
【００３５】
したがって、噴射操作から実際の内容物噴射開始までの遅延時間は、回動操作部１１を回してから内容物噴射用の孔部１１ｄが開くまでの時間であり、これは弁部材１５の上動速度（上側空間部１５ｂから下側空間部１５ｃへのいわば空気排出速度）に依存する。
【００３６】
なお、孔部１１ｄが開くと容器２２の内容物が外部空間２３に噴射され、その圧力が低下するため、一時貯留部１９の内部圧力も低下し弁部材１５を押し上げる力が弱くなる。しかし、そのときには弁部材１５の縁部１５ａがカバー体１０内周面の凹部１０ｆに位置して両者間の摩擦が小さくなるので、弁部材１５は孔部１１ｄが開いた後にも弁作用部１８がカバー体１０の小径部１０ｄに当接するまで円滑に上動する。
【００３７】
空気排出用の孔部１５ｄの数やその径は任意である。当該孔部の数を増減したりその径を変えることによって、弁部材１５の上動速度を調整して所望の遅延噴射時間を設定した遅延噴射機構にすることができる。
【００３８】
空気排出調整用部材のフェルト１６は設けるかどうかは任意である。フェルト１６に代えてスポンジ、不織布などの部材を設けてもよい。例えば、同一の径や数の空気排出用孔部が形成されている弁部材に、異なる材質の空気排出調整用部材をセットするだけで種々の遅延時間を設定した遅延噴射機構を提供できる。
【００３９】
図４は、柱状部１２ｃの外周面に溝部１２ｄを形成した操作部材１２を用いた遅延噴射機構２である。なお、遅延噴射機構１との基本的な違いは上側空間部１７ｂの空気排出経路である。
【００４０】
遅延噴射機構２では、
・上側空間部１７ｂは溝部１２ｄ、およびカバー体１０と操作部材１２との隙間１２ｇを介して外部空間２３と連通し、
・下側空間部１７ｃは遅延噴射機構１の場合と同じように外部空間連通口１０ｅや隙間２１ａを介して外部空間２３と連通している。
【００４１】
図４は、遅延噴射機構１の図２の状態に対応している。すなわち、静止モード（図示省略）において回動操作部１２ａを時計方向に回した後の作動モードにおける初期段階である。
【００４２】
操作部材１２の突状部１２ｂがカバー体１０の上側凹状部１０ａから下側凹状部１０ｂまで下動し、その柱状部１２ｃでステム２０を押し下げている。
【００４３】
そして、
・容器２２の内容物は、実線矢印で示すように一時貯留部１９に流入してその圧力で弁部材１７や弁作用部１８を押し上げ、
・上側空間部１７ｂの空気は、弁部材１７の上動に対応した分だけ破線矢印で示すように溝部１２ｄおよび隙間１２ｇなどを経て外部空間２３に排出される。
【００４４】
このとき、
・弁部材１７の上動に応じて容積が小さくなる上側空間部１７ｂの空気は層流状態となって外部空間２３に排出され、
・弁部材１７の上動に応じて容積が大きくなる下側空間部１７ｃには外気が外部空間連通口１０ｅや隙間２１ａを介して流入するので、
弁部材１７および弁作用部１８は上方向にスムーズに移動していく。
【００４５】
弁部材１７が図示の位置よりさらに上動して内容物噴射用の孔部１２ｅが弁作用部１８の下側に位置すると、内容物は当該孔部および噴射用通路１２ｆを通過して噴射口１３から外部空間２３に噴射される。
【００４６】
内容物噴射の遅延時間は、遅延噴射機構１の場合と同じく、回動操作部１２ａを回してから内容物噴射用の孔部１２ｅが開くまでの時間である。これは弁部材１７の上動速度に依存する。
【００４７】
また、遅延噴射機構１と同様に、内容物が噴射し始めると、内容物の圧力低下により弁部材１７を押し上げる力が弱くなるが、そのときには弁部材１７の縁部１７ａがカバー体１０内周面の凹部１０ｆに位置して両者間の摩擦を小さくなるようにしているので、弁部材１７は内容物噴射用の孔部１２ｅが開いた後にも弁作用部１８がカバー体１０の小径部１０ｄに当接するまで円滑に上動する。
【００４８】
溝部１２ｄの深さや幅を変えることによって単位時間あたりの空気排出量を増減することができ、所望の遅延噴射時間を設定することができる。また、溝部は、カバー体１０の小径部１０ｄに形成してもよく、あるいは柱状部１２ｃと小径部１０ｄとの双方に形成してもよい。
【００４９】
遅延噴射機構１，２において、カバー体１０に操作部材１１，１２の突状部１１ｂ，１２ｂを案内するレール部１０ｃを形成せずに、操作部材１１，１２を押し下げたときに、その押圧力で当該操作部材の突状部１１ｂ，１２ｂがカバー体１０の上側凹状部１０ａを乗り越えて下側凹状部１０ｂに係止されるようにしてもよい。
【００５０】
以上の遅延噴射機構を用いたエアゾール式製品としては、殺虫剤，洗浄剤，清掃剤などがある。
【００５１】
エアゾール式製品の内容物には、金属塩類粉末，無機物粉末や樹脂粉末などを用いる。例えばタルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤，金属イオン封鎖剤なども用いる。
【００５２】
【発明の効果】
本発明は、このように、噴射操作に基づく弁部材の移動にともなって容積が小さくなる空間域の遅延動作用の気体をいわば層流状態にして外部空間に排出するので、弁部材を内容物の噴射位置へとスムーズに移動させ、かつ当該気体の収納用閉空間部の省略化を図ることができる。
【００５３】
また、弁部材に形成した排気用孔部およびこれに続く外部空間連通域を遅延動作用気体の排出部としているので、遅延動作時の弁部材の移動にともなっていわば余分となった内部気体を外部空間に効率的に排出することができる。
【００５４】
また、排気用孔部に通じる部分に遅延動作用気体の排出に対する抵抗部材を設けているので、遅延時間の拡大化を図り、さらには抵抗部材に応じて遅延時間を選択的に設定することができる。
【００５５】
また、弁部材とは別の、噴射出力部材（鞘状部）と容器カバー体との当接対象部分に、形成した溝状部を遅延動作用気体の排出部として、可動部材である弁部材が排気用孔部を設けて重量バランスをくずすといったことをなくしているので、遅延動作時の弁部材の移動を円滑なものにすることができる。
【図面の簡単な説明】
【図１】本発明の、弁部材１５に空気排出用孔部を形成した遅延噴射機構の静止モードを示す説明図である。
【図２】図１の遅延噴射機構における作動モードの初期段階　（孔部１１ｄ：閉状態）を示す説明図である。
【図３】図２に続く噴射段階（孔部１１ｄ：開状態）を示す説明図である。
【図４】本発明の、柱状部１２ｃに空気排出用の溝部を形成した遅延噴射機構における作動モードの初期段階　（孔部１２ｅ：閉状態）を示す説明図である。
【図５】従来の、遅延噴射機構を備えたエアゾール容器における噴射過程を示す説明図である。
【符号の説明】
１：遅延噴射機構（その１）
２：遅延噴射機構（その２）
１０：カバー体
１０ａ：上側凹状部
１０ｂ：下側凹状部
１０ｃ：レール部
１０ｄ：凹部
１０ｅ：外部空間連通口
１０ｆ：凹部
１１：操作部材
１１ａ：回動操作部
１１ｂ：突状部
１１ｃ：柱状部
１１ｄ：孔部
１１ｅ：通路，
１２：操作部材
１２ａ：回動操作部
１２ｂ：突状部
１２ｃ：柱状部
１２ｄ：溝部
１２ｅ：孔部
１２ｆ：通路
１２ｇ：隙間
１３：噴射口
１４：中間通路用部材
１４ｂ：溝部
１４ｃ：隙間
１５：弁部材
１５ａ：縁部
１５ｂ：上側空間部
１５ｃ：下側空間部
１５ｄ：空気排出用孔部
１６：フェルト
１７：弁部材
１７ａ：縁部
１７ｂ：上側空間部
１７ｃ：下側空間部
１８：弁作用部
１９：内容物一時貯留部
２０：ステム
２１：マウンテンキャップ
２１ａ：隙間
２２：容器
２３：外部空間
【図１】
2004041979.tif 000003
【図２】
2004041979.tif 000004
【図３】
2004041979.tif 000005
【図４】
2004041979.tif 000006
【図５】
2004041979.tif 000007